(57)【特許請求の範囲】
【請求項１】
実又は葉が人又は人以外の動物の食物として用いられる木本性植物の栽培地であって、
互いに離間して平行に伸長する複数の盛土式の未舗装道路と、
隣り合う２つの未舗装道路の間で両未舗装道路に沿って伸長し、複数の木本性植物が未舗装道路伸長方向に互いに離間して植栽される樹木植栽地と、
前記未舗装道路の盛土内又は盛土下の土壌に埋設され、盛土内の土壌から盛土下の土壌への水の移動を阻止する遮水部材とを備えていて、
前記未舗装道路に、根粒をもつマメ科植物が植栽されていることを特徴とする木本性植物の栽培地。
【請求項２】
前記マメ科植物は、ヘアリーベッチ又はクローバであることを特徴とする、請求項１に記載の木本性植物の栽培地。
【請求項３】
実又は葉が人又は人以外の動物の食物として用いられる木本性植物の栽培地における木本性植物の栽培方法であって、
前記栽培地は、
互いに離間して平行に伸長する複数の盛土式の未舗装道路と、
隣り合う２つの未舗装道路の間で両未舗装道路に沿って伸長し、複数の木本性植物が未舗装道路伸長方向に互いに離間して植栽される樹木植栽地と、
前記未舗装道路の盛土内又は盛土下の土壌に埋設され、盛土内の土壌から盛土下の土壌への水の移動を阻止する遮水部材とを備えていて、
該栽培方法は、
木本性植物に施すべき肥料を積載している第１の車両を、未舗装道路上で肥料を撒きながら走行させる第１の作業と、
水を積載している第２の車両を、未舗装道路上で水を撒きながら走行させ、未舗装道路上に撒かれ盛土内を下向きに移動する水の移動方向を、前記遮水部材により前記樹木植栽地に向く方向に変化させることにより、盛土内の水を前記樹木植栽地に案内して前記木本性植物に供給する第２の作業とを行うことにより、
前記木本性植物に水と肥料とを供給することを特徴とする木本性植物の栽培方法。
【請求項４】
前記第１の車両にキレート剤又はキレート剤水溶液を積載し、前記第１の作業の実施時に、肥料ともに又は肥料とは別に、未舗装道路上にキレート剤又はキレート剤水溶液を撒き、盛土中の鉄分及び植物育成の微量必須元素であるその他の金属成分をキレート剤に捕捉させることを特徴とする、請求項３に記載の木本性植物の栽培方法。
【請求項５】
前記第２の車両に積載している水にキレート剤を溶解させ、前記第２の作業の実施時に、未舗装道路上にキレート剤が溶解している水を撒き、盛土中の鉄分及び植物育成の微量必須元素であるその他の金属成分をキレート剤に捕捉させることを特徴とする、請求項３に記載の木本性植物の栽培方法。
【請求項６】
前記その他の金属成分は、カリウム化合物、カルシウム化合物、マグネシウム化合物、マンガン化合物、亜鉛化合物、ニッケル化合物、モリブデン化合物及び銅化合物のうちの少なくとも１つを含むことを特徴とする請求項４又は５に記載の木本性植物の栽培方法。
【請求項７】
キレート剤が生分解性キレート剤であることを特徴とする、請求項４〜６のいずれか１つに記載の木本性植物の栽培方法。
【請求項８】
前記未舗装道路に、根粒をもつマメ科植物が植栽されていて、
未舗装道路上での前記第１又は第２の車両の走行時に、前記第１又は第２の車両の車輪によりマメ科植物の根粒を圧潰又は損壊させて根粒中の窒素化合物を盛土中に浸出させ、盛土中に浸出した窒素化合物を、水に随伴させて前記木本性植物に供給することを特徴とする、請求項３〜７のいずれか１つに記載の木本性植物の栽培方法。
【発明の詳細な説明】
【技術分野】
【０００１】  本発明は、実又は葉が人又は人以外の動物の食物として用いられる木本性植物（以下「食物採取用樹木」という。）の栽培地及び該栽培地における食物採取用樹木の栽培方法に関するものである。
【背景技術】
【０００２】  一般に、食物採取用樹木の栽培には給水（灌水）及び施肥が不可欠である。そして、食物採取用樹木の大規模な栽培地では、各樹木への給水（灌水）は、通常、スプリンクラや灌水チューブなどといった地面固定式の自動給水装置を用いて行われる（例えば、特許文献１、２参照。）。また、各食物採取用樹木への施肥は、通常、作業者が運転する自走式施肥機を用いて行われる（例えば、特許文献３、４参照。）。
【先行技術文献】
【特許文献】
【０００３】
【特許文献１】特開２００４−３１３１０３号公報
【特許文献２】特開２０１１−９２１５２号公報
【特許文献３】特開平９−２３７２６号公報
【特許文献４】特開２０１２−１８７０１２号公報
【発明の概要】
【発明が解決しようとする課題】
【０００４】  食物採取用樹木の大規模な栽培地では、例えば特許文献１、２に開示された自動給水装置は非常に大規模な設備となるので、その設置及び維持・管理に多額の費用を要するといった問題がある。また、例えば特許文献３、４に開示された自走式施肥機は、必ずしも平坦でない栽培地で、作業者が食物採取用樹木の間を縫うように運転しなければならないので、作業に手間がかかり人件費がかさむといった問題がある。【０００５】  本発明は、前記従来の問題を解決するためになされたものであって、大規模な給水設備を設ける必要がなく、給水（灌水）及び施肥にさほど手間がかからない食物採取用樹木の栽培地及び栽培方法を提供することを解決すべき課題とする。
【課題を解決するための手段】
【０００６】  前記課題を解決するためになされた本発明に係る食物採取用樹木（実又は葉が人又は人以外の動物の食物として用いられる木本性植物）の栽培地（栽培地構造）は、複数の盛土式の未舗装道路と、樹木植栽地と、遮水部材（例えば、遮水シート、遮水板等）とを備えている。ここで、複数の未舗装道路は、互いに離間して平行に伸長している。樹木植栽地は隣り合う２つの未舗装道路の間で両未舗装道路に沿って伸長し、この樹木植栽地には、複数の食物採取用樹木が未舗装道路伸長方向に互いに離間して植栽される。遮水部材は、未舗装道路の盛土内又は盛土下の土壌に埋設され、盛土内の土壌から盛土下の土壌への水の移動を阻止する。【０００７】  本発明に係る食物採取用樹木の栽培地において、遮水部材は、樹木植栽地の土壌中に延設されているのが好ましく、樹木植栽地の土壌中で未舗装道路幅方向に関して食物採取用樹木の根の近傍まで延設されているのがより好ましい。また、未舗装道路に、空中窒素の固定機能を備えた、根粒をもつマメ科植物（例えば、ヘアリーベッチ、クローバ等）が植栽されているのが好ましい。【０００８】  本発明に係る食物採取用樹木の栽培方法は、本発明に係る食物採取用樹木の栽培地（栽培地構造）で用いられる。この食物採取用樹木の栽培方法は、第１の作業と第２の作業とを行うことにより、食物採取用樹木に、水と、食物採取用樹木に施すべき肥料とを供給する。第１の作業では、作業者が、肥料を積載している第１の車両を、未舗装道路上で肥料を撒きながら走行させる。第２の作業では、作業者が、水を積載している第２の車両を、未舗装道路上で水を撒きながら走行させる。これにより、未舗装道路上に撒かれ盛土内を下向きに移動する水の移動方向が、遮水部材により樹木植栽地に向く方向に変化させられ、盛土内の水が樹木植栽地に案内され、食物採取用樹木の根に供給される。【０００９】  本発明に係る食物採取用樹木の栽培方法においては、第１の車両にキレート剤又はキレート剤水溶液を積載し、第１の作業の実施時に、肥料とともに又は肥料とは別に、未舗装道路上にキレート剤又はキレート剤水溶液を撒きながら第１の車両を走行させて、盛土中の鉄分及び植物育成の微量必須元素であるその他の金属成分（以下、単に「その他の金属成分」という。）をキレート剤に捕捉させるのが好ましい。なお、このようにせず、第２の車両に積載している水にキレート剤を溶解させ、第２の作業の実施時に、未舗装道路上にキレート剤が溶解している水を撒き、盛土中の鉄分及びその他の金属成分をキレート剤に捕捉させるようにしてもよい。その他の金属成分としては、カリウム化合物、カルシウム化合物、マグネシウム化合物、マンガン化合物、亜鉛化合物、ニッケル化合物、モリブデン化合物及び／又は銅化合物が挙げられる。キレート剤は、生分解性キレート剤であるのが好ましい。【００１０】  本発明に係る栽培方法において、未舗装道路に、根粒をもつマメ科植物（例えば、ヘアリーベッチ、クローバ等）が植栽されている場合は、未舗装道路上での第１又は第２の車両の走行時に、車輪によりマメ科植物の根粒を圧潰又は損壊させて根粒中の窒素化合物を盛土中に浸出させ、盛土中に浸出した窒素化合物を、水に随伴させて食物��取用樹木の根に供給するようにしてもよい。
【発明の効果】
【００１１】  本発明に係る食物採取用樹木の栽培地、ないしは該栽培地における食物採取用樹木の栽培方法によれば、未舗装道路上に第１の車両で肥料を撒く一方、第２の車両で水を撒くだけの簡単な作業で、樹木栽培地に植栽された食物採取用樹木に水及び肥料を供給することができる。したがって、大規模な給水設備を設けることなく、また給水及び施肥にさほど手間をかけることなく、大規模な栽培地で食物採取用樹木を栽培することができる。
【図面の簡単な説明】
【００１２】
【図１】本発明に係る食物採取用樹木の栽培地の模式的な平面図である。
【図２】図１に示す食物採取用樹木の栽培地の模式的なＡ−Ａ線断面図である。
【図３】（ａ）〜（ｅ）は、食物採取用樹木の栽培地の構築手順を示す模式的な栽培地の立面断面図である。
【発明を実施するための形態】
【００１３】  以下、添付の図面を参照しつつ本発明の実施形態を具体的に説明する。まず、図１及び図２を参照しつつ、食物採取用樹木（実又は葉が人又は人以外の動物の食物として用いられる木本性植物）の栽培地（栽培地構造）を説明する。
【００１４】  図１及び図２に示すように、本発明に係る食物採取用樹木の栽培地１には、複数の盛土式の未舗装道路２が設置されている。これらの未舗装道路２は、道路幅方向ないしは横方向、すなわち道路伸長方向と垂直な方向に、所定の間隔（例えば、３〜５ｍ）を保ちながら平行に伸長している。各未舗装道路２は、種々の車両、例えば給水車、薬剤散布車、トラクタ等が支障なく通行できる道路幅（例えば、３〜５ｍ）を有している。なお、各未舗装道路２は、直線状に伸びるものであるのが好ましい。
【００１５】  栽培地１において、隣り合う２つの未舗装道路２の間で帯状に伸長する土地は樹木植栽地３となっている。樹木植栽地３には、複数ないしは多数の食物採取用樹木４（例えば、果樹、桑の木、茶の木）が植栽されている。これらの食物採取用樹木４は、帯状の樹木植栽地３の伸長方向に、所定の間隔（例えば、３〜５ｍ）をあけて直列に植栽されている。
【００１６】  未舗装道路２は盛土式であるので、その上面は樹木植栽地３の上面よりやや高い位置（例えば、０．２〜０．４ｍ上）にあり、未舗装道路２の両側面は、樹木植栽地３に向かって下降傾斜する斜面となっている。そして、未舗装道路２の上面及び両側面には、空中の窒素を固定する機能を備えた、根粒をもつマメ科植物５（例えば、ヘアリーベッチ、クローバ等）が植栽されている。なお、未舗装道路２の土壌（盛土）が側方に崩れるのを防止するため、各未舗装道路２の両側部に、縁石又はコンクリートブロックを配設してもよい。
【００１７】  各未舗装道路２の盛土内又は盛土下方の栽培地１内の土壌中には、非透水性の遮水部材６が埋設されている。遮水部材６としては、合成ゴム（例えば、加硫ゴム、繊維補強加硫ゴム、オレフィン系熱可塑性ゴム等）又は合成樹脂（例えば、塩化ビニル樹脂、繊維補強塩化ビニル樹脂、高密度ポリエチレン、中密度ポリエチレン、熱可塑性ポリエチレン、エチレン酢酸ビニル樹脂等）からなる遮水シートや遮水板などを用いることができる。なお、遮水部材６として遮水シートを用いる場合はその厚さを１〜３ｍｍとし、遮水板を用いる場合はその厚さを４〜８ｍｍとするのが好ましい。
【００１８】  遮水部材６は、未舗装道路２の盛土内の水が下方の土壌に移動するのを阻止する。したがって、遮水部材６は、未舗装道路２の表面に落下又は流下し盛土内に浸透して下方に移動する水の移動方向を、遮水部材６に沿う方向ないしは横方向（図１、図２中の位置関係では左右方向）、すなわち樹木植栽地３ひいては食物採取用樹木４の根に向かう方向に変化させる。
【００１９】  この実施形態では、遮水部材６は、平面視で未舗装道路２に対応する領域から、樹木植栽地３内の食物採取用樹木４の近傍の領域まで横方向に延設されている。これにより、未舗装道路２の表面から盛土内に浸透した水の大半が、食物採取用樹木４の根のまわりに到達する。したがって、未舗装道路２の表面に落下又は流下した水の大部分は食物採取用樹木４の根によって吸収される。
【００２０】  盛土内の土壌から樹木植栽地３内の土壌への水の移動を円滑に行わせるために、未舗装道路２の盛土材料には、樹木植栽地３の土壌の透水性（例えば、飽和透水係数が１０−４〜１０−３ｃｍ／秒）よりも高い透水性を有する土壌が用いられる。土壌の飽和透水係数は、土壌の粒子径が大きくなればなるほど高くなるので、盛土材料には、樹木植栽地３内の土壌よりも平均粒径ないしは代表粒径がやや大きい（例えば、２〜５倍）シルトもしくは細砂又はこれらの混合物が用いられる。例えば、樹木植栽地３の土壌のメジアン径Ｄ５０（粒径加積曲線における５０％径）が０．０１ｍｍである場合、盛土材料としては、メジアン径Ｄ５０が０．０２〜０．０５ｍｍのシルトを用いることができる。
【００２１】  以下、栽培地１における食物採取用樹木４の栽培方法を説明する。
＜食物採取用樹木への給水＞
食物採取用樹木４に給水ないしは灌水する場合は、作業者が未舗装道路２上で散水車７を走行させながら、未舗装道路表面に適量の水を連続的に散布する。未舗装道路表面に散布された水は未舗装道路２の盛土内を下方に移動した後、遮水部材６によって移動方向を横方向（未舗装道路２の伸長方向と垂直な方向）に変化させられ、樹木植栽地３の土壌中を横方向に移動し、食物採取用樹木４の根の近傍に到達する。この水は、食物採取用樹木４の根によって吸収される。このようにして、食物採取用樹木４に適量の水が供給される。なお、散水車７による給水は、栽培地１の気温、湿度、降雨量等を考慮しつつ、適宜に行う。
【００２２】＜食物採取用樹木への施肥＞
食物採取用樹木４に施肥する場合は、まず、作業者が未舗装道路２上で薬剤散布車８を走行させながら、未舗装道路表面に適量の肥料を連続的に散布する。そして、肥料の散布が終了した後、作業者が未舗装道路２上で散水車７を走行させながら、未舗装道路表面に適量の水を連続的に散布する。この水に、すでに未舗装道路表面に散布されている肥料の少なくとも一部が溶解する。このように肥料が溶解している水は、食物採取用樹木４への給水の場合と同様に、食物採取用樹木４の根の近傍に到達する。この後、肥料が溶解している水は、食物採取用樹木４の根によって吸収される。このようにして、食物採取用樹木４に適量の肥料が供給される。なお、薬剤散布車８で散布すべき肥料の種類又は量は、食物採取用樹木４の生育状態等に応じて、適宜に決定される。
【００２３】＜食物採取用樹木への鉄分及びその他の金属成分の供給＞
食物採取用樹木４に、葉緑素の生成に必須の鉄分（微量要素）、さらには植物の育成に必須のその他の金属成分（カリウムもしくはその化合物、カルシウムもしくはその化合物、マグネシウムもしくはその化合物、マンガンもしくはその化合物、亜鉛もしくはその化合物、ニッケルもしくはその化合物、モリブデンもしくはその化合物及び／又は銅もしくはその化合物）を供給する場合は、まず、作業者が未舗装道路２上で薬剤散布車８を走行させながら、未舗装道路表面に適量のキレート剤又は比較的濃厚なキレート剤水溶液を連続的に散布する。キレート剤は、生分解性キレート剤であるのが好ましい。生分解性キレート剤としては、例えば３−ヒドロキシ−２，２’−イミノ二コハク酸（ＨＩＤＳ）、エチレンジアミン二コハク酸（ＥＤＤＳ）、Ｌ−グルタミン酸−Ｎ、Ｎ−二酢酸（ＧＬＤＡ）、メチルグリシン二酢酸（ＭＧＤＡ）などを用いることができる。なお、キレート剤として、非生分解性のエチレンジアミン四酢酸（ＥＤＴＡ）、イミノ二酢酸（ＩＤＡ）、ニトリロ三酢酸（ＮＴＡ）、ジエチレントリアミン五酢酸（ＤＴＰＡ）、シクロヘキサンジアミン四酢酸（ＣｙＤＴＡ）などを用いることも可能である。
【００２４】  そして、キレート剤又はキレート剤水溶液の散布が終了した後、作業者が未舗装道路２上で散水車７を走行させながら、未舗装道路表面に適量の水を連続的に散布する。この水に、すでに未舗装道路表面に散布されているキレート剤の少なくとも一部が溶解する。このようにキレート剤が溶解している水は、食物採取用樹木４への給水の場合と同様に、食物採取用樹木４の根の近傍に到達する。その際、キレート剤が溶解している水は、未舗装道路２又は樹木植栽地３の土壌中に存在する鉄分を鉄イオンの形態で補足する（キレートする）とともに、土壌中に存在するその他の金属成分をそれぞれのイオンの形態で補足する（キレートする）。
【００２５】  この後、鉄分及びその他の金属成分を補足しているキレート剤が溶解している水は、食物採取用樹木４の根によって吸収される。食物採取用樹木４内に入ったキレート剤は、微生物により分解される。このようにして、食物採取用樹木４に鉄分及びその他の金属成分が供給される。なお、このようにせず、散水車７に積載している水にキレート剤を溶解させ、この水（比較的希薄なキレート剤水溶液）を未舗装道路上に撒くようにしてもよい。
【００２６】  一般に、土壌中には３〜４質量％の鉄分（酸化鉄）と、その他の少量ないしは微量の金属成分（金属又は金属化合物）とが含まれているが、これらの鉄分及びその他の金属成分はほとんど水に溶解しないので、通常、植物の育成には水溶性の鉄分及び水溶性のその他の金属成分を肥料として散布する必要がある。しかし、本発明にかかる食物採取用樹木４の栽培方法によれば、土壌中の鉄分及びその他の金属成分が水に溶解しているキレート剤によって補足され、食物採取用樹木４に供給される。したがって、水溶性の鉄分を肥料として施肥する必要はない。また、水溶性のその他の金属成分（少なくとも一部の金属成分）についても、施肥の省略又は減量が可能となる。
【００２７】＜食物採取用樹木への窒素分の供給＞
食物採取用樹木４に、植物の３大栄養素の１つである窒素分を供給する場合は、まず、作業者が未舗装道路２上で比較的重量の大きい車両（散水車７、薬剤散布車８でもよい）を繰り返し走行させ、その車輪によりマメ科植物の根粒を圧潰又は損壊させて根粒中の窒素化合物を盛土中に浸出させる。この後、作業者が未舗装道路２上で散水車７を走行させながら、未舗装道路表面に適量の水を連続的に散布する。この水には、盛土中に浸出した窒素化合物の少なくとも一部が溶解する。
【００２８】  このように窒素化合物が溶解している水は、食物採取用樹木４への給水の場合と同様に、食物採取用樹木４の根の近傍に到達する。この後、窒素化合物が溶解している水は、食物採取用樹木４の根によって吸収される。このようにして、食物採取用樹木４に適量の窒素分が供給される。本発明にかかる食物採取用樹木４の栽培方法によれば、マメ科植物の根粒に含まれる窒素分を食物採取用樹木４に供給することができるので、窒素肥料の使用量を大幅に低減することができ、状況によっては窒素肥料の施肥を省略することも可能となる。
【００２９】  以下、図３（ａ）〜（ｅ）参照しつつ、本発明に係る食物採取用樹木４の栽培地１の構築手法の一例を説明する。
（１）  整地
図３（ａ）に示すように、栽培地１を整地し、その表面を平坦にする。必要があれば、栽培地１を適度に掘削した上で、適切な粒度の土壌を移入して掘削土と混合し、栽培地１の土壌の粒度分布を、食物採取用樹木４の栽培に適した粒度分布（例えば、メジアン径Ｄ５０が０．００５〜０．０５ｍｍ）となるように調整する。なお、他所から土壌を移入して掘削土と混合する場合は、振動ローラ等で栽培地１の締固めを行うのが好ましい。
【００３０】（２）  凹部の形成
図３（ｂ）に示すように、設置すべき複数の未舗装道路２に対応する位置に、掘削等により、未舗装道路伸長方向に伸び、未舗装道路２よりも幅が広い複数の凹部１０を形成する。凹部１０の幅は、埋設すべき遮水部材６の幅よりやや大きくする。
【００３１】（３）  遮水部材の配置
図３（ｃ）に示すように、凹部１０の底部に、幅が凹部１０よりもやや狭く、適当な長さ（例えば、５〜１０ｍ）をもつ複数の帯状の遮水部材６を、継ぎ目付近で適度な長さ（例えば、５０ｃｍ）だけ重なり合うようにして、凹部１０の全長にわたって配置する。
【００３２】（４）  未舗装道路の設置
図３（ｄ）に示すように、盛土工により未舗装道路２を設置する。未舗装道路２の盛土材料には、樹木植栽地３の土壌よりも飽和透水係数が大きくなるように、栽培地１ないしは樹木植栽地３の土壌よりも平均粒径度が大きい土壌（例えば、メジアン径Ｄ５０が２〜５倍）が用いられる。
【００３３】（５）  食物採取用樹木及びマメ科植物の植栽
図３（ｅ）に示すように、樹木植栽地３に食物採取用樹木４を植栽するとともに、未舗装道路２の上面及び両側面にマメ科植物５（例えば、ヘアリーベッチ、クローバ等）を植栽する。
【００３４】  以上、本発明の実施形態に係る食物採取用樹木４の栽培地１、ないしは該栽培地１における食物採取用樹木４の栽培方法によれば、大規模な栽培地１において、給水設備を設けることなく食物採取用樹木４に給水（灌水）することができ、さほど手間をかけることなく食物採取用樹木４に施肥することができる。また、キレート剤により元々土壌中に存在する鉄化合物を鉄分として食物採取用樹木４に供給することができ、かつ土壌中に存在するその他の金属成分も食物採取用樹木４に供給することができる。さらに、マメ科植物によって生成された窒素化合物を窒素分として食物採取用樹木４に供給することができる。
【符号の説明】
【００３５】  １  栽培地、２  未舗装道路、３  樹木植栽地、４  食物採取用樹木、５  マメ科植物、６  遮水部材、７  散水車、８  薬剤散布車、１０  凹部。
【要約】
【課題】大規模な設備を設ける必要がなく、給水及び施肥にさほど手間がかからない食物採取用樹木の栽培地ないしは栽培方法を提供する。
【解決手段】栽培地１は、複数の盛土式の未舗装道路２と、樹木植栽地３と、遮水部材６とを備えている。複数の未舗装道路２は、互いに離間しながら平行に伸長している。樹木植栽地３は隣り合う未舗装道路間で両未舗装道路２に沿って伸長している。樹木植栽地３には、複数の食物採取用樹木４が未舗装道路伸長方向に互いに離間して植栽されている。遮水部材６は、未舗装道路２の盛土又は盛土下の土壌に埋設され、盛土から盛土下の土壌への水の移動を阻止する。
【選択図】図１【図１】
0006753566.tif 000002
【図２】
0006753566.tif 000003
【図３】
0006753566.tif 000004